(57)【要約】【課題】フィルムＷ表面を傷を付けることなく円滑に洗浄する。【解決手段】水槽１内に、多孔の円筒状バスケット２と、周面凹凸の断面波状の円筒状ランナー３とを同一軸心ｃに設けたバイブロ洗浄機である。フィルムＷはガイドローラ１１によってバスケット２に接触することなく走行する。ランナー３を回転すると、その周面の凹凸によってバスケット内外の水を吐出・吸引してバスケット２の多孔から噴出させ、その噴出流ａによるバイブレーション効果（振動）によってバスケット外周を走行するフィルムＷを洗浄する。このとき、走行するフィルムはバスケットに触れないため、傷付くこともない。また、ノズル１２から噴出されるマイクロバブルｂがフィルムに衝突することによってその表面の汚濁物を除去するとともに、水槽内に浮遊する汚濁物を捕捉して水面に浮上する。このため、フィルム表面の洗浄が円滑に行われる。【選択図】図１
2015077577.tif 000002
【特許請求の範囲】
【請求項１】
液槽（１）内に、筒状バスケット（２）と筒状ランナー（３）とをそのランナー（３）を内側にして同一軸心（ｃ）に設け、前記バスケット（２）は全周面に多孔が形成され、前記ランナー（３）はその周囲が全周に亘って凹凸の断面波状となっており、前記ランナー（３）を回転することにより、その周面の凹凸によってバスケット（２）内外の液を吐出・吸引してバスケット（２）の多孔から噴出させ、その噴出流（ａ）によるバイブレーション効果によってバスケット（２）外周を走行する帯状被洗浄物（Ｗ）を洗浄するバイブロ洗浄機であって、
上記被洗浄物（Ｗ）をフィルム又はシートとし、その被洗浄物（Ｗ）をガイド（１１）によって上記バスケット（２）外周面に触れることなく走行させるようにしたことを特徴とするバイブロ洗浄機。
【請求項２】
上記筒状バスケット（２）と筒状ランナー（３）との間に多孔の整流筒（１４）を同一軸心（ｃ）に設けたことを特徴とする請求項１に記載のバイブロ洗浄機。
【請求項３】
上記液槽（１）内にバブル噴出ノズル（１２）を設けたことを特徴とする請求項１又は２に記載のバイブロ洗浄機。
【請求項４】
上記液の吐出・吸引によるバイブレーションを、２００Ｈｚ以下の低周波としたことを特徴とする請求項１乃至３の何れか一つに記載のバイブロ洗浄機。
【請求項５】
上記ガイド（１１）を上記バスケット（２）から退去可能としたことを特徴とする請求項１乃至４の何れか一つに記載のバイブロ洗浄機。
【発明の詳細な説明】
【技術分野】
【０００１】
この発明は、フィルムやシート等の透液性のない被洗浄物表面を洗浄するバイブロ洗浄機に関するものである。
【背景技術】
【０００２】
この種の洗浄機として、図５に示すように、液槽１内に、円筒状バスケット２と円筒状ランナー３とをそのランナー３を内側にして同一軸心ｃに設け、前記バスケット２は全周面に多孔を形成し、前記ランナー３はその周囲が全周に亘って凹凸の断面波状としたものがある。この装置は、ランナー３を同図矢印方向に回転すると、その周面の凹凸によってバスケット内外の液を吐出・吸引してバスケット２の多孔から噴出させ、その噴出流ａによるバイブレーション効果（振動）によってバスケット２外周を走行する帯状被洗浄物Ｗを洗浄する。図中、５は被洗浄物案内ローラである。
【０００３】
この洗浄機は、バイブレーション効果によって洗浄するため、バイブロ洗浄機と呼ばれており、その被洗浄物Ｗは織物や編み物の布等の透液性を有するものとされ、同図に示すように、被洗浄物Ｗをバスケットに接して走行させている。バスケット２に接して走行させると、被洗浄物Ｗとバスケット２との接触によって被洗浄物Ｗ表面を傷付ける恐れがある。このため、バスケット２を被洗浄物Ｗの走行速度と同じ周速度で回転させるものもある。
【先行技術文献】
【特許文献】
【０００４】
【特許文献１】特開２０１２−９６１５６号公報
【発明の概要】
【発明が解決しようとする課題】
【０００５】
近年、液晶技術の発達により、その液晶に使用されるフィルム等においては、フィルム表面に、塵埃、繊維、フィルム粕等が付着せず、かつ、傷のないことが望まれている。この点はシートに於いても同様である。
このようなフィルムやシートの表面洗浄を、上記バイブロ洗浄機によって行おうとすると、フィルム等の被洗浄物Ｗがバスケット２の表面に接しているため、その接触によって、被洗浄物Ｗ表面に傷が付く恐れがある。
その接触による傷を生じさせることなくフィルムを洗浄する技術として、フィルムを直線状に走行させ、そのフィルム面に洗浄液を吹きつけて洗浄するものがある（特許文献１要約、段落００１５〜同００２３、図２参照）。
このフィルム用洗浄機は、大がかりなものであって、大きなスペースを必要とするとともに高価なものとなっている。
【０００６】
この発明は、以上の実状の下、小型かつ安価にして、フィルム等の被洗浄物を傷を付けることなく洗浄することを課題とする。
【課題を解決するための手段】
【０００７】
上記課題を達成するため、この発明は、上記バイブロ洗浄機において、被洗浄物をガイドによってバスケット外周面に触れることなく走行させるようにしたのである。
バイブロ洗浄機は小型化し得て安価なものとすることができ、被洗浄物をバスケット外周面に接触しなくすれば、接触による損傷もなく、また、バスケットと被洗浄物との間隙に噴流が吐出し、その噴出流によるバイブレーション効果が被洗浄物の表面全域に行き渡るため、その表面の洗浄効果も向上する。
【０００８】
この発明の具体的構成としては、液槽内に、筒状バスケットと筒状ランナーとをそのランナーを内側にして同一軸心に設け、前記バスケットは全周面に多孔が形成され、前記ランナーはその周囲が全周に亘って凹凸の断面波状となっており、前記ランナーを回転することにより、その周面の凹凸によってバスケット内外の液を吐出・吸引してバスケットの多孔から噴出させ、その噴出流によるバイブレーション効果によってバスケット外周を走行する帯状被洗浄物を洗浄するバイブロ洗浄機において、前記被洗浄物をフィルム又はシートとし、その被洗浄物をガイドによって前記バスケット外周面に触れることなく走行させるようにした構成を採用することができる。
【０００９】
上記液の吐出・吸引によるバイブレーション（振動）は、できるだけ大きな（長い）波長が好ましく、フィルム洗浄の場合、２００Ｈｚ以下の低周波とすることが好ましい。帯状被洗浄物はガイドによって案内されて走行し、そのガイド間の被洗浄物は、張力（テンション）の強弱にも影響されるが、走行中に少なくとも揺れるため、その揺れによって前記液の吐出・吸引による振動が吸収される。この吸収率は、振動の波長が短く、振幅が小さいほど高い。このため、超音波等の高周波による短い波長及び小さい振幅ではなく、低周波による長波長及び大振幅で被洗浄物を振動させて付着する塵埃等を叩き飛ばして円滑に除去するためである。
その振動周波数はランナーの回転数等によって調整し、また、振動は、ランナーによる液の振動に加えて、下記整流筒にランナー、バスケットで作った液流が当たることで、その整流筒自体が振動体となって振動伝播を良くすることによっても付与することができる。
【００１０】
この構成において、上記ガイドを上下動可能とする等によって上記バスケットから退去可能とすれば、被洗浄物のガイドへのセットが容易となる。被洗浄物Ｗは、できるだけ、バスケット２の周囲に多く臨むことが好ましいが、多く臨ませると、その被洗浄物Ｗの走行経路が大きく屈曲するため、各ガイドに被洗浄物をセットする（かける）作業が繁雑となる。しかし、例えば、図２に示すように、ガイド１１ａが上下動可能とされれば、同図鎖線のように、バスケット２上方に位置させることによって、被洗浄物Ｗの走行経路がバスケット２の上方に位置させてバスケット２から退去させることができてバスケット２に邪魔させることなく、そのガイド１１ａに被洗浄物Ｗをセットできる。このセット後、図示実線のように、ガイド１１ａを下降すれば、被洗浄物Ｗをバスケット２の多くの周面に位置させて円滑な洗浄を行うことができる。
【００１１】
また、上記液槽内にバブル噴出ノズルを設けることができる。このノズルから噴出されるバブル（泡）が被洗浄物表面に衝突することによってその表面の汚濁物を剥離（除去）する。このとき、マイクロバブルであると、液中での上昇速度が遅くなって滞留時間が長くなるとともに、マイナスイオンに帯電しているため、液槽内に浮遊する汚濁物（パーティクル）を電気的に円滑に捕捉して液面に浮上する。このため、洗浄効果が向上する。
さらに、バスケットとランナーとの間に多孔の整流筒を同一軸心に設ければ、噴出流が整流されてバスケット全周にバイブレーション効果（振動）が円滑に生じ（振動にムラが無くなり）、洗浄効果が向上する。その整流筒の数は１又は複数と任意であるが、整流効果と液の振動（脈動）度合いを考慮して適宜に決定する。整流筒は固定が好ましいが、回転させることもできる。その回転方向はランナーと逆方向とする。
【発明の効果】
【００１２】
この発明は、以上のように被洗浄物をガイドによってバスケット外周面に触れることなく走行させるようにしたので、フィルムやシートの洗浄において、接触による損傷もなく、また、バスケットと被洗浄物との間隙に噴出流が吐出し、その噴出流によるバイブレーション効果が被洗浄物の表面全域に行き渡るため、その表面の洗浄効果も向上する。
【図面の簡単な説明】
【００１３】
【図１】この発明のバイブロ洗浄機に係わる一実施形態の概略図
【図２】同他の実施形態の概略図
【図３】同さらに他の実施形態の概略図
【図４】同さらに他の実施形態の概略図
【図５】従来例の概略図
【発明を実施するための形態】
【００１４】
この発明の一実施形態を図１に示し、この実施形態は上記バイブロ洗浄機と基本構成は同じであり、水槽１内に、パンチングメタルからなる円筒状バスケット２と、円筒状ランナー３とをそのランナー３を内側にして同一軸心ｃに設け、ランナー３はその周囲が全周に亘って円弧状凸部３ａを等間隔に形成した凹凸の断面波状としたものである。
【００１５】
この構成のバイブロ洗浄機（装置）において、この発明は、バスケット２の周りの適宜個所にガイドローラ１１（１１ａ、１１ｂ、１１ｃ）を配置し、このガイドローラ１１によって被洗浄物である樹脂フィルムＷをバスケット２外周面に触れることなく走行させるようにしたことが特徴である。
【００１６】
水槽１の下部にはマイクロバブルノズル１２が設けられ、このノズル１２にポンプＰ、バブルフィルタＦ、ベンチュリーミキサ等からなるマイクロバブル発生器Ｍが接続されている。マイクロバブル発生器Ｍがベンチュリーミキサの場合、そのミキサに圧縮空気が送り込まれ、この圧縮空気の送り込みによってポンプＰからの水に空気が溶解されるとともに再気泡化されてマイクロバブルｂとなる。このとき、バブルフィルタＦは、水槽１からの水内に介在する除去塵埃等を除去してマイクロバブル発生器Ｍにその除去された水が送り込まれる。このようにして、ポンプＰの駆動によって、水槽１内の水が循環されるとともに、その循環水に塵埃が除去されマイクロバブルｂが混入されて水槽１内に噴出される。
【００１７】
この実施形態は以上の構成であり、従来と同様に、ランナー３がフィルムＷの走行方向と反対方向（図１矢印方向）に回転すると、その周面の凹凸によって固定のバスケット２内外の水を吐出・吸引してバスケット２の多孔から噴出させ、その噴出流ａのバイブレーション効果（振動作用）によってバスケット２外周を走行するフィルムＷを洗浄する。このとき、そのバイブレーション効果は、例えば、振動周波数：５７Ｈｚ，振幅：１００μｍであり、フィルムＷはバスケット２の表面に接触することなく走行するため、その接触による損傷はない。
ガイドローラ１１、案内ローラ５は、被洗浄物（フィルム）Ｗの走行速度と同一の周速度で同一方向に回転させることができる。また、ランナー３をフィルムＷの走行方向と同一方向に回転させることもできる。
【００１８】
また、ノズル１２から噴出されるマイクロバブルｂがフィルムＷに衝突することによってその表面の汚濁物を剥離するとともに、水槽１内に浮遊する汚濁物を捕捉して水面に浮上する。このため、フィルムＷ表面の洗浄は円滑かつ確実に行われる。汚濁物が付着したバブルｂはオーバーフローして樋１３に落下し、外部に導かれる。
洗浄を終えたフィルムＷは乾燥工程等の後工程に移行する。
【００１９】
図２には、この発明の他の実施形態を示し、この実施形態は、ガイドローラ１１ａを上下動可能としてバスケット２から退去可能としたものである。このガイドローラ１１ａの上昇は、バスケット２を避け得れば、バスケット２の上方の位置を適宜に選択すればよい。その上下動手段は、エアシリンダ、油圧シリンダ、電動ジャッキ、電動チエーン等が考えられる。
【００２０】
この実施形態においては、図示鎖線のように、ガイドローラ１１ａをバスケット２の上方に位置させることによって、バスケット２に邪魔させることなく、そのガイドローラ１１ａにフィルムＷをセットできる。このセット後、図示実線のように、ガイドローラ１１ａを下降させ、フィルムＷをバスケット２の多くの周面に位置させて円滑な洗浄を行う。
【００２１】
この実施形態において、ガイドローラ１１は、図３に示すように、フィルムＷがバスケット２の噴出流ａが吐出する多くの周面に至るように適宜に配置することができる。このとき、各ガイドローラ１１ａ、１１ｄも上下動可能とすることによってバスケット上方に位置し得るようにすることができる。その上下動経路は直線状とは限らず、曲線状とすることができる（同図鎖線状態）。曲線状の上下動の場合、フィルムＷがバスケット２に触れないようにさらにガイドローラを設けることは勿論であり、ガイドローラ１１ｄの軸を曲線状のガイド溝で案内する等の手段を講じる。
【００２２】
上記各実施形態において、バスケット２は固定でも良いが、図１において右周りに回転させると（ランナー３と反対方向に回転させると）、バスケット２の上方の水が樋１３方向に流れるため、汚濁物が付着したバブルｂがその樋１３に円滑に送り込まれて落下する。いずれにしても、そのバスケット２の回転方向はランナー３のそれと反対方向とするのが好ましい。
【００２３】
また、図３に示すように、ランナー３とバスケット２の間に多孔のケーシング（整流筒）１４を同一軸心に固定して設けることができる。このケーシング１４によって噴出流ａの整流がなされてバスケット２全周にバイブレーション効果（振動）が円滑に生じる。さらに、この振動が円滑に生じることによってバブルｂの破壊が促進されて洗浄が促進され、また、残るマイクロバブルｂにより水槽１内に浮遊する汚濁物の捕捉が推進される。この円滑な振動及びバブルｂの破壊によってフィルムＷの洗浄効果が向上しかつ安定する。ケーシング１４も回転させることができる。このとき、その回転方向はランナー３と反対方向とし、バスケット２を回転させる場合は、そのケーシング１４の回転方向と逆とすることが好ましいが、同方向でも良い。
なお、このケーシング１４は、従来の織物や編み物の布等の透液性を有する被洗浄物の場合においても採用することができ、その場合、その被洗浄物はバスケット２に接して走行させることができる。
【００２４】
フィルムＷの両面を洗浄する場合は、上記各実施形態において、洗浄し終わったフィルムを反転させて上記実施形態と同様のバイブロ洗浄機に送り込むようにしたり、図４に示すように、ガイドローラ１１をバスケット２の全周に配置したバイブロ洗浄機を用意し、上記実施形態で洗浄の終わったフィルムＷがそのバイブロ洗浄機のバスケット２の周囲を回るようにしたりすることによって、その反対面の洗浄を行うことができる。このように、フィルムＷの両面を洗浄する場合は、バイブロ洗浄機を複数台配置すれば、表裏面の連続洗浄が可能となる。この表裏面の洗浄のみならず、一面のみの場合であっても、これらの実施形態のバイブロ洗浄機を２機、３機以上と設置して、被洗浄物Ｗをその各バイブロ洗浄機に順々に送り込むようにすれば、洗浄効率を向上させることができる。
因みに、図４の実施形態においても、各ガイドローラ１１はバスケット２からその径方向等に適宜に退去可能としてフィルムＷのそのガイドローラ１１へのセットを円滑にできるようにすることができることは勿論である。
【００２５】
上記実施形態は、被洗浄物が樹脂フィルムＷの場合であったが、そのフィルムは樹脂製に限らず，他の種々のフィルムを採用でき、また、樹脂製シート等も採用することができる。
水槽１は、他の液体、例えば化学洗浄液等の液槽とすることもできる。
バスケット２、ランナー３、ケーシング１４は、円筒状でなくても、上記作用をなし得る限り、断面正多角形の筒状等とし得る。
バブルｂはマイクロバブル（通常、直径５０μｍ以下）に限らず、散気管から液中に噴出するバブル（泡）とすることもできる。この場合は、通常の気泡とは異なったマイクロバブル特有な性質、例えば、液中に滞在し続けて、負の帯電による液槽内に浮遊する汚濁物の捕捉効果等が発揮されない恐れがある。一方、ナノバブルとすることもできる。
【符号の説明】
【００２６】
１  液槽（水槽）
２  バスケット
３  ランナー
３ａ  ランナーの凹凸（円弧状凸部）
１１、１１ａ、１１ｂ、１１ｃ、１１ｄ  ガイドローラ
１２  バブル噴出ノズル
１３  樋
１４  ケーシング（整流筒）
Ｗ  被洗浄物（フィルム）
ａ  噴出流
ｂ  マイクロバブル
【図１】
2015077577.tif 000003
【図２】
2015077577.tif 000004
【図３】
2015077577.tif 000005
【図４】
2015077577.tif 000006
【図５】
2015077577.tif 000007